(57)【特許請求の範囲】
【請求項１】
シートに画像を形成する画像形成部と，
前記画像形成部を支持するフレームと，
前記画像形成部にてシートに形成された画像を，当該シートに定着させる定着部と，
前記画像形成部にて一方の面に画像が形成され，前記定着部を通過したシートを，搬送方向を反転させて当該シートの他方の面に画像を形成するために再び前記画像形成部に導く再搬送路と，
前記フレームよりも内側に配置され，温度の高低に応じて異なる信号を出力する第１温度センサと，
前記フレームよりも外側に配置され，温度の高低に応じて異なる信号を出力する第２温度センサと，
制御部と，
を備え，
前記制御部は，
前記第１温度センサから機内閾値温度よりも温度が高い旨の信号が出力されている場合かつ，前記第２温度センサから機外閾値温度よりも温度が高い旨の信号が出力されている場合，シートの一方の面にのみ印刷する片面印刷では，第１の速度でシートを搬送して前記画像形成部に画像を形成させ，シートの一方の面および他方の面の両面に印刷する両面印刷では，前記第１の速度よりも低速の第２の速度でシートを搬送して前記画像形成部に画像を形成させ，
前記第１温度センサから前記機内閾値温度よりも温度が高い旨の信号が出力されていない場合あるいは，前記第２温度センサから前記機外閾値温度よりも温度が高い旨の信号が出力されていない場合，前記第１の速度でシートを搬送して前記画像形成部に画像を形成させることを特徴とする画像形成装置。
【請求項２】
請求項１に記載する画像形成装置において，
機内に気流を発生させるファンを備え，
前記制御部は，
前記第１温度センサから前記機内閾値温度より高い機内限界温度よりも温度が高い旨の信号が出力されている場合，前記画像形成部による画像の形成を禁止し，前記ファンを稼働させることを特徴とする画像形成装置。
【請求項３】
請求項２に記載する画像形成装置において，
前記制御部は，
前記第１温度センサから前記機内限界温度よりも温度が高い旨の信号が出力された後，前記第１温度センサから前記機内閾値温度より高く前記機内限界温度よりも低い機内許可温度よりも温度が低い旨の信号が出力された場合，前記ファンの稼働を停止し，前記画像形成部による画像形成の禁止を解除することを特徴とする画像形成装置。
【請求項４】
請求項１から請求項３のいずれか１つに記載する画像形成装置において，
機内に気流を発生させるファンを備え，
前記制御部は，
前記第２温度センサから前記機外閾値温度より高い機外限界温度よりも温度が高い旨の信号が出力されている場合かつ，前記第１温度センサからの信号に基づく温度が前記第２温度センサからの信号に基づく温度に第１調整値を加算した温度以下の場合，前記ファンを稼働させることを特徴とする画像形成装置。
【請求項５】
請求項４に記載する画像形成装置において，
前記制御部は，
前記第２温度センサから前記機外限界温度よりも温度が高い旨の信号が出力され，かつ，前記第１温度センサからの信号に基づく温度が前記第２温度センサからの信号に基づく温度に前記第１調整値を加算した温度以下になった後，前記第２温度センサからの信号に基づく温度が所定温度下がった場合，前記ファンの稼働を停止させることを特徴とする画像形成装置。
【請求項６】
請求項４または請求項５に記載する画像形成装置において，
前記制御部は，
前記第１温度センサから前記機内閾値温度よりも温度が高い旨の信号が出力されている場合かつ，前記第２温度センサから前記機外限界温度よりも低くかつ前記機外閾値温度よりも高い第２機外閾値温度よりも温度が高い旨の信号が出力されている場合，所定枚数以上の連続印刷では，前記画像形成部に前記所定枚数の画像を形成させた後に画像を形成しない冷却期間を設けることを特徴とする画像形成装置。
【請求項７】
請求項１から請求項６のいずれか１つに記載する画像形成装置において，
機内に気流を発生させるファンを備え，
前記制御部は，
前記第２温度センサから前記機外閾値温度より高い機外限界温度よりも温度が高い旨の信号が出力されている場合かつ，前記第１温度センサからの信号に基づく温度が前記第２温度センサからの信号に基づく温度に第２調整値を加算した温度以上の場合，前記画像形成部による画像の形成を禁止し，前記ファンを稼働させることを特徴とする画像形成装置。
【請求項８】
請求項７に記載する画像形成装置において，
前記制御部は，
前記第２温度センサから前記機外閾値温度より高い機外限界温度よりも温度が高い旨の信号が出力されている場合かつ，前記第１温度センサからの信号に基づく温度が前記第２温度センサからの信号に基づく温度に第２調整値を加算した温度以上になって前記ファンを稼働させた後，前記第１温度センサからの信号に基づく温度が前記第２温度センサからの信号に基づく温度に第２調整値を加算した温度よりも低くなった場合，前記ファンの稼働を停止させ，さらに前記第２温度センサから前記機外閾値温度より高く前記機外限界温度よりも低い機外許可温度よりも温度が低い旨の信号が出力された場合，前記画像形成部による画像形成の禁止を解除することを特徴とする画像形成装置。
【請求項９】
請求項１から請求項８のいずれか１つに記載する画像形成装置において，
機内に気流を発生させるファンを備え，
前記制御部は，
前記画像形成部による画像の形成後，前記第１温度センサから前記機内閾値温度より低い機内特定温度よりも温度が低い旨の信号が出力されるまで，あるいは所定時間が経過するまで，前記ファンを稼働させることを特徴とする画像形成装置。
【発明の詳細な説明】
【技術分野】
【０００１】
本発明は，電子写真方式によって画像を形成する画像形成装置に関する。さらに詳細には，温度に応じた搬送制御に関するものである。
【背景技術】
【０００２】
従来から，電子写真方式の画像形成装置では，機内が高温になることで，樹脂部品の変形による故障，トナーの溶融による印字品質の低下等の，不具合が発生し易くなることが知られている。そこで，画像形成装置では，機内の温度が所定の温度を超えた場合に，印刷動作を制限して機内を冷却するクーリング動作が行う技術も知られている。
【０００３】
温度に応じた制御に関する文献としては，例えば特許文献１がある。特許文献１では，冷却ファンの通気ダクトに配置された温度センサと，定着装置内に配置された温度センサと，を備えた画像形成装置であって，各温度センサからの信号に基づいて，定着ローラの回転速度や，冷却ファンの回転速度を制御する構成が開示されている。
【先行技術文献】
【特許文献】
【０００４】
【特許文献１】特開２００１−１９４９８０号公報
【発明の概要】
【発明が解決しようとする課題】
【０００５】
しかしながら，前記した従来の技術には，次のような問題があった。すなわち，クーリング動作は印刷動作を制限するため，できる限り行わない方が好ましい。そのため，画像形成装置は，機内の温度がクーリング動作の実行条件となる所定の温度に達する前から，温度上昇を抑制することが望まれる。
【０００６】
温度上昇が予想される場合として，例えば，両面印刷を行う場合がある。両面印刷では，定着装置を通過することで熱を持ったシートが，機内を長時間移動するため，片面印刷と比較して，単位時間当たりのシートによって奪われる熱量が少なく，機内の温度が上昇し易い。特許文献１では，複数の温度センサを配置し，機内あるいは機外の温度によって制御を変更する構成ではあるものの，両面印刷か片面印刷かによって制御を変更する構成ではないため，改善の余地がある。
【０００７】
本発明は，前記した従来の技術が有する問題点を解決するためになされたものである。すなわちその課題とするところは，両面印刷が可能な画像形成装置において，温度に応じた好適なシートの搬送制御を提供することにある。
【課題を解決するための手段】
【０００８】
この課題の解決を目的としてなされた画像形成装置は，シートに画像を形成する画像形成部と，前記画像形成部を支持するフレームと，前記画像形成部にてシートに形成された画像を，当該シートに定着させる定着部と，前記画像形成部にて一方の面に画像が形成され，前記定着部を通過したシートを，搬送方向を反転させて当該シートの他方の面に画像を形成するために再び前記画像形成部に導く再搬送路と，前記フレームよりも内側に配置され，温度の高低に応じて異なる信号を出力する第１温度センサと，前記フレームよりも外側に配置され，温度の高低に応じて異なる信号を出力する第２温度センサと，制御部と，を備え，前記制御部は，前記第１温度センサから機内閾値温度よりも温度が高い旨の信号が出力されている場合かつ，前記第２温度センサから機外閾値温度よりも温度が高い旨の信号が出力されている場合，シートの一方の面にのみ印刷する片面印刷では，第１の速度でシートを搬送して前記画像形成部に画像を形成させ，シートの一方の面および他方の面の両面に印刷する両面印刷では，前記第１の速度よりも低速の第２の速度でシートを搬送して前記画像形成部に画像を形成させ，前記第１温度センサから前記機内閾値温度よりも温度が高い旨の信号が出力されていない場合あるいは，前記第２温度センサから前記機外閾値温度よりも温度が高い旨の信号が出力されていない場合，前記第１の速度でシートを搬送して前記画像形成部に画像を形成させることを特徴としている。
【０００９】
第１温度センサからの信号が示す機内温度も第２温度センサからの信号が示す機外温度もともに高温の場合，機内に籠る熱が外気と熱交換され難く，機内の温度が上昇し易い。そこで，本明細書に開示される画像形成装置は，機内温度も機外温度も高い状態で両面印刷を行う場合には，シートの搬送速度を低速にして，温度の上昇度合を抑制し，クーリング動作の実行条件の温度に達するまでの時間を遅らせる。これにより，より多くの印刷の実行が期待できる。片面印刷の場合は，シートによって奪われる単位時間あたりの熱量が多く，機内温度が上昇し難いことから，生産性を優先して，シートの搬送速度を高速にする。これにより，温度に応じて，生産性の低下の抑制効果が期待できる。
【００１０】
また，本明細書に開示される画像形成装置は，機内に気流を発生させるファンを備え，前記制御部は，前記第１温度センサから前記機内閾値温度より高い機内限界温度よりも温度が高い旨の信号が出力されている場合，前記画像形成部による画像の形成を禁止し，前記ファンを稼働させるとよい。画像形成装置の機内が，不具合の発生の可能性が極めて高い温度になった場合，画像形成を禁止し，ファンを稼働させて機内の温度を直ちに下げる方が好ましい。
【００１１】
また，前記制御部は，前記第１温度センサから前記機内限界温度よりも温度が高い旨の信号が出力された後，前記第１温度センサから前記機内閾値温度より高く前記機内限界温度よりも低い機内許可温度よりも温度が低い旨の信号が出力された場合，前記ファンの稼働を停止し，前記画像形成部による画像形成の禁止を解除するとよい。機内温度が下がった後は，速やかにファンの稼働を停止し，画像形成を許可する方が望ましい。
【００１２】
また，本明細書に開示される画像形成装置は，機内に気流を発生させるファンを備え，前記制御部は，前記第２温度センサから前記機外閾値温度より高い機外限界温度よりも温度が高い旨の信号が出力されている場合かつ，前記第１温度センサからの信号に基づく温度が前記第２温度センサからの信号に基づく温度に第１調整値を加算した温度以下の場合，前記ファンを稼働させるとよい。本来，機外温度は，機内温度よりも低い。しかし，機外温度が機内温度よりも高くなることが稀にある。この場合，例えば，西日等によって第２温度センサ周辺が局所的に暖められ，本来の外気温よりも高い温度の信号を出力してしまっている可能性がある。その場合，ファンを稼働させ，機内の空気を循環させて第２温度センサ周辺の温度を下げる方が好ましい。
【００１３】
また，前記制御部は，前記第２温度センサから前記機外限界温度よりも温度が高い旨の信号が出力され，かつ，前記第１温度センサからの信号に基づく温度が前記第２温度センサからの信号に基づく温度に前記第１調整値を加算した温度以下になった後，前記第２温度センサからの信号に基づく温度が所定温度下がった場合，前記ファンの稼働を停止させるとよい。機外温度が下がった後は，速やかにファンの稼働を停止し，画像形成を許可する方が望ましい。
【００１４】
また，前記制御部は，前記第１温度センサから前記機内閾値温度よりも温度が高い旨の信号が出力されている場合かつ，前記第２温度センサから前記機外限界温度よりも低くかつ前記機外閾値温度よりも高い第２機外閾値温度よりも温度が高い旨の信号が出力されている場合，所定枚数以上の連続印刷では，前記画像形成部に前記所定枚数の画像を形成させた後に画像を形成しない冷却期間を設けるとよい。機外温度が機外限界温度に近い場合，連続印刷を行うと早期に機外限界温度に達し，印刷ができなくなる可能性が高まる。そのため，間欠印刷を行い，機内の温度上昇を遅らせる方が好ましい。
【００１５】
また，本明細書に開示される画像形成装置は，機内に気流を発生させるファンを備え，前記制御部は，前記第２温度センサから前記機外閾値温度より高い機外限界温度よりも温度が高い旨の信号が出力されている場合かつ，前記第１温度センサからの信号に基づく温度が前記第２温度センサからの信号に基づく温度に第２調整値を加算した温度以上の場合，前記画像形成部による画像の形成を禁止し，前記ファンを稼働させるとよい。機外高温であり，さらに機内温度が更に高い場合には，不具合の発生の可能性が極めて高い。そのため，画像形成を禁止し，ファンを稼働させて機内を冷却する方が好ましい。
【００１６】
また，前記制御部は，前記第２温度センサから前記機外閾値温度より高い機外限界温度よりも温度が高い旨の信号が出力されている場合かつ，前記第１温度センサからの信号に基づく温度が前記第２温度センサからの信号に基づく温度に第２調整値を加算した温度以上になって前記ファンを稼働させた後，前記第１温度センサからの信号に基づく温度が前記第２温度センサからの信号に基づく温度に第２調整値を加算した温度よりも低くなった場合，前記ファンの稼働を停止させ，さらに前記第２温度センサから前記機外閾値温度より高く前記機外限界温度よりも低い機外許可温度よりも温度が低い旨の信号が出力された場合，前記画像形成部による画像形成の禁止を解除するとよい。機内温度が下がった後は，速やかにファンの稼働を停止し，さらに機外温度が十分下がった後は，画像形成を許可する方が望ましい。
【００１７】
また，本明細書に開示される画像形成装置は，機内に気流を発生させるファンを備え，前記制御部は，前記画像形成部による画像の形成後，前記第１温度センサから前記機内閾値温度より低い機内特定温度よりも温度が低い旨の信号が出力されるまで，あるいは所定時間が経過するまで，前記ファンを稼働させるとよい。画像形成の後，モータの余熱等によって機内の温度が一時的に上昇する。そのため，機内の温度がその一時的な上昇によって機内限界温度を超えない温度となるまで，あるいは所定の時間が経過するまで，ファンを稼働させる方が好ましい。
【００１８】
上記画像形成装置の機能を実現するための制御方法，コンピュータプログラム，および当該コンピュータプログラムを格納するコンピュータ読取可能な記憶媒体も，新規で有用である。
【発明の効果】
【００１９】
本発明によれば，両面印刷が可能な画像形成装置において，温度に応じた好適なシートの搬送制御が実現される。
【図面の簡単な説明】
【００２０】
【図１】実施の形態にかかるプリンタの電気的構成を示すブロック図である。
【図２】図１に示したプリンタの側面側の内部構成を示す概略図である。
【図３】図１に示したプリンタの上面側の内部構成を示す概略図である。
【図４】機内温度Ｔ１と機外温度Ｔ２との関係に基づく印刷モードの設定を示す図である。
【図５】実施の形態に係る閾値温度の一覧を示す図である。
【図６】プリンタが実行する温度管理処理の手順を示すフローチャートである。
【図７】プリンタが実行する印刷処理の手順を示すフローチャートである。
【図８】プリンタが実行する第１高温印刷処理の手順を示すフローチャートである。
【図９】プリンタが実行する第２高温印刷処理の手順を示すフローチャートである。
【図１０】プリンタが実行する冷却処理の手順を示すフローチャートである。
【発明を実施するための形態】
【００２１】
以下，本発明にかかる画像形成装置を具体化した実施の形態について，添付図面を参照しつつ詳細に説明する。本形態は，電子写真方式によって画像を形成するプリンタに本発明を適用したものである。
【００２２】
［プリンタの電気的構成］
本形態のプリンタ１００は，図１に示すように，ＣＰＵ３１と，ＲＯＭ３２と，ＲＡＭ３３と，ＮＶＲＡＭ（Non Volatile RAM）３４とを有するコントローラ３０を備えている。また，プリンタ１００は，印刷部１０と，ユーザからの入力操作を受け付ける操作部４０と，温度の高低に応じて異なる信号を出力する機外温度センサ６１および機内温度センサ６２と，機内に気流を発生させるファン８０と，外部装置と通信するための通信インターフェース３７とを備え，これらがＣＰＵ３１によって制御される。なお，図１中のコントローラ３０は，ＣＰＵ３１等，プリンタ１００の制御に利用されるハードウェアを纏めた総称であって，実際にプリンタ１００に存在する単一のハードウェアを表すとは限らない。
【００２３】
ＲＯＭ３２には，プリンタ１００を制御するための制御プログラムであるファームウェアや各種設定，初期値等が記憶されている。ＲＡＭ３３およびＮＶＲＡＭ３４は，各種制御プログラムが読み出される作業領域として，あるいは画像データを一時的に記憶する記憶領域として利用される。
【００２４】
ＣＰＵ３１は，ＲＯＭ３２から読み出した制御プログラムや各種センサから送られる信号に従って，その処理結果をＲＡＭ３３またはＮＶＲＡＭ３４に記憶させながら，プリンタ１００の各構成要素を制御する。ＣＰＵ３１は，制御部の一例である。なお，コントローラ３０が制御部であってもよい。
【００２５】
機内温度センサ６１および機外温度センサ６２は，温度検知を可能にするハードウェアである。具体的な温度センサとしては，例えば，サーミスタ，熱電対，測温抵抗体が該当する。ＣＰＵ３１は，機内温度センサ６１および機外温度センサ６２の各出力信号を定期的（例えば，印刷動作中は１ｍｓごと，レディ状態で待機している間は５ｍｓごと）に取得し，取得した各出力信号に対応する温度をＲＡＭ３３に記憶している。機内温度センサ６１は，第１温度センサの一例である。機外温度センサ６２は，第２温度センサの一例である。
【００２６】
ファン８０は，羽根を回転させて気流を発生させるハードウェアである。具体的なファンとしては，例えば，シロッコファンが該当する。ファン８０は，プリンタ１００の機内の冷却に用いられる。
【００２７】
通信インターフェース３７は，他の装置との通信を可能にするハードウェアである。具体的な通信インターフェース３７としては，例えば，有線ＬＡＮインターフェース，無線ＬＡＮインターフェース，シリアル通信インターフェース，パラレル通信インターフェース，ファクシミリインターフェースが該当する。プリンタ１００は，印刷部１０に印刷動作を行わせるジョブを，通信インターフェース３７を介して外部装置から受信できる。
【００２８】
操作部４０は，ユーザからの入力操作を受け付ける各種のボタンや，メッセージや設定内容を表示するタッチパネルを有している。各種のボタンとしては，例えば，印刷部１０に印刷を実行させる実行ボタンや，印刷のキャンセル指示を入力するキャンセルボタンがある。また，操作部４０は，ユーザがタッチパネルに指を接触させることによっても，各種の入力を受け付ける。
【００２９】
［プリンタの内部構成］
続いて，プリンタ１００の内部構成について，図２および図３を参照しつつ説明する。図２は，プリンタ１００のハウジング９０内の側面側の概略構成を示している。図３は，プリンタ１００のハウジング９０内の上面側の概略構成を示している。
【００３０】
プリンタ１００のハウジング９０内には，図２に示すように，印刷部１０が収容される。印刷部１０は，電子写真方式によってトナー像を形成し，そのトナー像をシートに転写するプロセス部５０と，プロセス部５０に光を照射する露光装置５３と，シート上の未定着のトナーを定着させる定着装置８と，画像転写前のシートを載置する給紙トレイ９１と，画像転写後のシートを載置する排紙トレイ９２と，プロセス部５０の転写位置にシートを搬送する搬送ベルト７とを備えている。プロセス部５０は，画像形成部の一例である。定着装置８は，定着部の一例である。
【００３１】
また，プリンタ１００内には，底部に位置する給紙トレイ９１に収容されたシートが，給紙ローラ２１，レジストローラ２２，プロセス部５０，定着装置８を通り，排紙ローラ２６を介して上部の排紙トレイ９２への導かれるように，略Ｓ字形状の搬送路１１（図２中の一点鎖線）が設けられている。
【００３２】
プロセス部５０は，カラー画像の形成が可能であり，シアン（Ｃ），マゼンタ（Ｍ），イエロー（Ｙ），ブラック（Ｋ）の各色に対応するプロセス部を並列に配置している。具体的には，Ｃ色の画像を形成するプロセス部５０Ｃと，Ｍ色の画像を形成するプロセス部５０Ｍと，Ｙ色の画像を形成するプロセス部５０Ｙと，Ｋ色の画像を形成するプロセス部５０Ｋとを備えている。そして，シートの搬送方向において，下流側からプロセス部５０Ｃ，５０Ｍ，５０Ｙ，５０Ｋの順に等間隔に配置されている。なお，プロセス部の順番はこれに限定するものではない。
【００３３】
プロセス部５０Ｋは，ドラム状の感光体１と，感光体１の表面を一様に帯電する帯電装置２と，感光体１上の静電潜像に対してトナーによる現像を行う現像装置４と，感光体１上のトナー像をシートあるいは搬送ベルト７に転写させる転写装置５とを有している。感光体１および転写装置５は，搬送ベルト７に対して接触配置されている。そして，感光体１は，転写装置５に対して搬送ベルト７を挟んで対向している。他のプロセス部５０Ｃ，５０Ｍ，５０Ｙについても，プロセス部５０Ｋと同様の構成である。
【００３４】
各プロセス部５０Ｃ，５０Ｍ，５０Ｙ，５０Ｋでは，感光体１の表面が帯電装置２によって一様に帯電される。その後，露光装置５３からの光により露光され，形成すべき画像の静電潜像が感光体１上に形成される。次いで，現像装置４を介してトナーが感光体１に供給される。これにより，感光体１上の静電潜像は，トナー像として可視像化される。
【００３５】
プリンタ１００は，給紙トレイ９１に載置されているシートを１枚ずつ取り出し，そのシートを搬送ベルト７上に搬送する。そして，プロセス部５０にて形成されたトナー像をそのシートに転写する。このとき，カラー印刷では，各プロセス部５０Ｃ，５０Ｍ，５０Ｙ，５０Ｋにてトナー像が形成され，シート上で各トナー像が重ね合わせられる。一方，モノクロ印刷では，プロセス部５０Ｋのみでトナー像が形成され，シートに転写される。その後は，トナー像が転写されたシートを定着装置８に搬送し，トナー像をそのシートに熱定着させる。そして，定着後のシートを排紙トレイ９２に排出する。
【００３６】
また，プリンタ１００内には，両面印刷を行うための搬送機構が設けられている。図２中の搬送路１２（図２中の二点鎖線）は，一方の面である第１面に印刷が行われたシートの，他方の面である第２面にも印刷が行われるように，定着装置８を通過したシートを，プロセス部５０に再搬送するための搬送経路である。搬送路１２は，再搬送路の一例である。
【００３７】
搬送路１２は，定着装置８よりもシートの搬送方向の下流側であって排紙ローラ２６の上流側の位置の分岐点１５で，印刷経路１１から分岐している。そして，分岐点１５からプロセス部５０と給紙トレイ９１との間を通り，印刷経路１１のレジストローラ２２よりも上流側の合流点１６で，印刷経路１１と合流する経路をなしている。
【００３８】
具体的に，プリンタ１００による両面印刷では，次のような手順でシートを反転させる。まず，プリンタ１００は，印刷経路１１を経由して第１面に画像が形成されたシートを，排紙ローラ２６まで搬入する。シートの後端が分岐点１５を通過した後，排紙ローラ２６がシートを挟持した状態で一旦停止させる。その後，排紙ローラ２６の回転方向を切り換えてシートの搬送方向を反転させ，シートを分岐点１５を経由して搬送路１２に搬入する。そして，印刷経路１１のプロセス部５０よりも上流側で，シートを合流点１６を経由して印刷経路１１に戻す。これにより，シートの表裏が反転され，第２面に画像が形成されることになる。
【００３９】
また，プリンタ１００のハウジング９０内には，図３に示すように，金属製のフレーム７１，７２が設けられている。定着装置８，プロセス部５０，搬送ベルト７，各種の搬送ローラは，フレーム７１とフレーム７２との間に配置され，それぞれフレーム７１およびフレーム７２の少なくとも一方に支持される。また，ハウジング９０には，定着装置８の長手方向（図３中のＸ方向）上の一方に吸気口９１が，他方に排気口９２が設けられる。
【００４０】
ファン８０は，フレーム７２とハウジング９０の排気口９２との間に配置される。ファン８０を動作させることで，プリンタ１００のハウジング９０内には，吸気口９１から排気口９２に向かう気流が形成される。これにより，例えば定着装置８やプロセス部５０から発生した熱がハウジング９０外に放出され，機内が冷却される。なお，ファン８０には，防塵フィルタ８１が貼付される。
【００４１】
機内温度センサ６１は，フレーム７２に支持され，さらにフレーム７１とフレーム７２との間に配置される。すなわち，機内温度センサ６１は，フレーム７１とフレーム７２との間の空間の温度に応じた信号を出力している。そのため，ＣＰＵ３１は，機内温度センサ６１からの出力信号によって，フレーム７１とフレーム７２との間の空間の温度を取得する。
【００４２】
機外温度センサ６２は，フレーム７１に支持され，さらにフレーム７１とハウジング９０との間に配置される。すなわち，機外温度センサ６２は，フレーム７１とハウジング９０との間の空間の温度に応じた信号を出力している。そのため，ＣＰＵ３１は，機外温度センサ６２からの出力信号によって，フレーム７１とハウジング９０との間の空間の温度を取得する。また，機外温度センサ６２は，吸気口９１に隣接配置されており，機外温度センサ６２からの出力信号によって得られる温度は，ハウジング９０の外側の温度と見做すことができる。
【００４３】
なお，機内温度センサ６１は，フレーム７１とフレーム７２との間に配置されていればよく，例えばフレーム７１に支持されていてもよい。また，フレーム７１，７２に支持されていなくてもよく，例えばプロセス部５０に支持されていてもよい。また，機外温度センサ６２は，フレーム７１とフレーム７２との間の外側に配置されていればよく，例えばフレーム７２やハウジング９０に支持されてもよい。
【００４４】
［プリンタの印刷モード］
続いて，プリンタ１００における，温度別の印刷モードについて説明する。プリンタ１００は，機内が高温になることで不具合が発生し易くなることから，機内の温度が所定の温度を超えた場合に，定着装置８のヒータおよびプロセス部５０の駆動モータをオフし，さらにファン８０を動作させることで機内を冷却するクーリング動作が行う。また，クーリング動作期間は，印刷ができない。そのため，プリンタ１００は，機内の温度がクーリング動作の実行条件となる所定の温度に達するのを遅らせるために，温度上昇を抑制する印刷動作を行う。
【００４５】
プリンタ１００は，前述のクーリング動作の実行および温度上昇を抑制する印刷動作の実行を，機内温度センサ６１からの出力信号および機外温度センサ６２からの出力信号に基づいて決定する。なお，本明細書では，機内温度センサ６１からの出力信号に基づいて得られる温度を「機内温度Ｔ１」とし，機外温度センサ６２からの出力信号に基づいて得られる温度を「機外温度Ｔ２」とする。
【００４６】
図４は，機内温度Ｔ１と機外温度Ｔ２との組合せによって決定されるプリンタ１００の動作領域を示している。図４中の（Ａ）は，クーリング動作を開始する条件を満たす機外温度Ｔ２の閾値温度（以下，「閾値Ａ」とする）である。図４中の（Ｂ）は，クーリング動作を停止する条件を満たす機外温度Ｔ２の閾値温度（以下，「閾値Ｂ」とする）である。図４中の（Ｃ）は，温度上昇を抑制する第１の特別印刷動作を実行する条件を満たす機外温度Ｔ２の閾値温度（以下，「閾値Ｃ」とする）である。図４中の（Ｄ）は，クーリング動作を開始する条件を満たす機内温度Ｔ１の閾値温度（以下，「閾値Ｄ」とする）である。図４中の（Ｅ）は，クーリング動作を停止する条件を満たす機内温度Ｔ１の閾値温度（以下，「閾値Ｅ」とする）である。図４中の（Ｆ）は，温度上昇を抑制する第１の特別印刷動作ないし第２の特別印刷動作を実行する条件を満たす機内温度Ｔ１の閾値温度（以下，「閾値Ｆ」とする）である。図４中の（Ｋ）は，温度上昇を抑制する第２の特別印刷動作を実行する条件を満たす機外温度Ｔ２の閾値温度（以下，「閾値Ｋ」とする）である。第１の特別印刷動作および第２の特別印刷動作については後述する。図４に示した各閾値の大小関係は次の通りである。
閾値Ａ＞閾値Ｂ＞閾値Ｃ＞閾値Ｋ
閾値Ｄ＞閾値Ｅ＞閾値Ｆ
【００４７】
なお，閾値Ａは，機外限界温度の一例である。閾値Ｂは，機外許可温度の一例である。閾値Ｃは，第２機外閾値温度の一例である。閾値Ｄは，機内限界温度の一例である。閾値Ｅは，機内許可温度の一例である。閾値Ｆは，機内閾値温度の一例である。閾値Ｋは，機外閾値温度の一例である。
【００４８】
図５は，図４中の各閾値の具体例を示している。各閾値は，ＲＯＭ３２あるいはＮＶＲＡＭ３４に記憶されている。各閾値は，固定値であってもよいし，ユーザ入力によって変更可能にしてもよい。本形態では，ＲＯＭ３２に記憶される固定値とする。
【００４９】
プリンタ１００は，図４中の（１）の領域，すなわち，機内温度Ｔ１が閾値Ｄ以下であって機外温度Ｔ２が閾値Ｋ以下の場合，あるいは機内温度Ｔ１が閾値Ｆ以下であって機外温度Ｔ２が閾値Ｃ以下の場合，温度による不具合が発生し難いことから，全速で印刷を行う。また，図４中の（３）の領域，すなわち，機内温度Ｔ１が閾値Ｆ以下であって機外温度Ｔ２が閾値Ｋよりも高く閾値Ａ以下の場合も，プロセス部５０周辺の機内温度Ｔ１が低く，温度による不具合が発生し難いことから，全速で印刷を行う。すなわち，（１）および（３）の領域では，不具合が発生する可能性が低いことから，通常の印刷動作を行う。
【００５０】
プリンタ１００は，図４中の（４）の領域，すなわち，機内温度Ｔ１が閾値Ｆよりも高く閾値Ｄ以下であって機外温度Ｔ２が閾値Ｃよりも高く閾値Ａ以下の場合に，第１の特別印刷動作として，半速で間欠印刷を行う。半速は，全速の１／２の速さを意味する。なお，厳密に１／２の速さにする必要は無く，全速よりも遅い速度であればよい。また，間欠印刷は，所定枚数の連続印刷の後，所定の秒数は印刷動作を行わない印刷である。印刷動作を行わない期間を設けることで，機内温度Ｔ１の上昇度合を小さくできる。本形態では，例えば，１０枚の連続印刷の後，６０秒間印刷を行わないものとする。機内温度Ｔ１と機外温度Ｔ２とがともにクーリング動作が必要となる温度に近い場合，機内に籠る熱が外気と熱交換され難い。そのため，全速で連続印刷を行うと，機内温度Ｔ１が早期にクーリング動作が必要な温度に達する可能性が高まる。そこで，低速での間欠印刷を行うことで機内の温度上昇を抑え，クーリング動作が必要な温度に達するのを遅らせることで，より多くの印刷を可能にする。
【００５１】
プリンタ１００は，図４中の（２）の領域，すなわち，機内温度Ｔ１が閾値Ｆよりも高く閾値Ｄ以下であって機外温度Ｔ２が閾値Ｋよりも高く閾値Ｃ以下の場合，第２の特別印刷動作として，片面印刷であれば全速で印刷を行い，両面印刷であれば半速で印刷を行う。図４中の（２）の領域では，機外温度Ｔ２がそれほど高くはないが，両面印刷を行う場合には，機内温度Ｔ１が早期にクーリング動作が必要な温度に達するおそれがある。つまり，両面印刷の場合は，熱を持ったシートが機内を長時間移動するため，機内の温度が上昇し易い。そのため，両面印刷の場合には，半速の印刷動作を行うことで機内の温度上昇を抑え，クーリング動作が必要な温度に達するのを遅らせることで，より多くの印刷を可能にする。
【００５２】
プリンタ１００は，図４中の（５）の領域，すなわち，機外温度Ｔ２が閾値Ａ以下であって機内温度Ｔ１が閾値Ｄよりも高い場合，温度による不具合が発生し易いことから，プロセス部５０の駆動モータおよび定着装置８のヒータをオフする。さらにファン８０を全速で動作させる。すなわち，機内温度Ｔ１がクーリング動作が必要な温度を超えた場合には，クーリング動作として，熱を発生させる印刷動作を禁止し，ファン８０によって機内を冷却する。
【００５３】
プリンタ１００は，図４中の（６）の領域，すなわち，機外温度Ｔ２が閾値Ａよりも高い場合，機内温度Ｔ１もさらに高ければ，クーリング動作を行う。そして，機内温度Ｔ１と機外温度Ｔ２とが略同等になった後は，外気と機内の空気との熱交換の効果が期待できないことから，ファン８０の動作を停止させる。その後，機外温度Ｔ２が閾値Ｂ以下となれば，プリンタ１００は印刷動作の禁止を解除する。
【００５４】
また，プリンタ１００は，図４中の（６）の領域の場合，機外温度Ｔ２が機内温度Ｔ１と比較してかなり高い場合も，クーリング動作を行う。機内温度センサ６１は，フレーム７１，７２に囲まれた領域内に配置されており，通常，機内温度Ｔ１の方が機外温度Ｔ２よりも高くなる。しかしながら，例えば，西日等の影響を受けて機外温度センサ６２の周辺の温度のみが局所的に暖められ，機外温度センサ６２が本来の外気温よりも高い温度の信号を出力してしまっていることが稀にある。そのため，プリンタ１００は，ファン８０を動作させ，機外温度センサ６２の周辺の空気を循環させる。そして，機外温度Ｔ２がある程度低下した後は，ファン８０の動作を停止させ，印刷動作の禁止を解除する。この場合，機内温度Ｔ１が閾値Ｆよりも高ければ，図４中の（４）の領域と同様に第１の印刷動作を行い，機内温度Ｔ１が閾値Ｆよりも高くなければ，図４中の（３）の領域と同様に全速で印刷を行う。
【００５５】
［温度管理処理］
続いて，前述した印刷モードの具体的な制御の１つであって，機内温度Ｔ１と機外温度Ｔ２との組合せに応じてクーリング動作を行う温度管理処理について，図６を参照しつつ説明する。温度管理処理は，電源投入時，あるいは印刷の実行が不可能な省電力状態から印刷の実行が可能なレディ状態に復帰したことを条件として，プリンタ１００のＣＰＵ３１によって実行される。なお，温度管理処理は，レディ状態であることを条件として，定期的（例えば５分ごと）に実行されてもよい。
【００５６】
温度管理処理では，ＣＰＵ３１は先ず，機外温度Ｔ２が閾値Ａ以下であるか否かを判断する（Ｓ１０１）。ＣＰＵ３１は，機外温度センサ６２から定期的に取得した機外温度Ｔ２をＲＡＭ３３に記憶していることから，Ｓ１０１ではＲＡＭ３３に記憶した機外温度Ｔ２を読み出すことで，機外温度Ｔ２と閾値Ａとを比較できる。以下，機外温度Ｔ２を利用する場合には，ＲＡＭ３３から読み出すものとする。機内温度Ｔ１を利用する場合にも同様に，ＲＡＭ３３から読み出すものとする。
【００５７】
機外温度Ｔ２が閾値Ａ以下の場合（Ｓ１０１：ＹＥＳ），ＣＰＵ３１は，機内温度Ｔ１が閾値Ｄ以下であるか否かを判断する（Ｓ１０２）。機内温度Ｔ１が閾値Ｄ以下の場合（Ｓ１０２：ＹＥＳ），クーリング動作を行うことなく，温度管理処理を終了する。
【００５８】
一方，機外温度Ｔ２が閾値Ａよりも高い場合（Ｓ１０１：ＮＯ），ＣＰＵ３１は，モータの駆動，定着装置８のヒータの加熱等，熱を発生させる印刷動作を禁止する（Ｓ１１１）。例えば，プリンタ１００は，印刷動作を禁止する禁止フラグをＮＶＲＡＭ３４に記憶させ，Ｓ１１１では当該禁止フラグをオンにし，当該禁止フラグがオンの間，ＣＰＵ３１は印刷部１０に印刷を指示しないようにする。
【００５９】
Ｓ１１１の後，ＣＰＵ３１は，機内温度Ｔ１が機外温度Ｔ２にＧ℃を加算した温度以上か否かを判断する（Ｓ１１２）。Ｇは，各センサ６１，６２の検知精度のばらつきを考慮した調整値である。本形態では，Ｇを２℃とする。なお，Ｇを０としてもよい。Ｇは第２調整値の一例である。機内温度Ｔ１が機外温度Ｔ２にＧ℃を加算した温度以上の場合（Ｓ１１２：ＹＥＳ），ＣＰＵ３１は，ファン８０を全速で動作させる（Ｓ１１３）。Ｓ１１３は，図４中の（６）の領域の動作である。Ｓ１１２の後は，機内温度Ｔ１が機外温度Ｔ２にＧ℃を加算した温度よりも低くなるまで待つ。これにより，プリンタ１００の機内と機外との間で熱交換が行われ，機内温度Ｔ１が下がる。
【００６０】
機内温度Ｔ１が機外温度Ｔ２にＧ℃を加算した温度よりも低い場合（Ｓ１１２：ＮＯ），ＣＰＵ３１は，ファン８０の動作を停止させる（Ｓ１２１）。なお，始めから機内温度Ｔ１が機外温度Ｔ２に所定温度Ｇを加算した温度よりも低く，Ｓ１１３にてファン８０を動作させていない場合は，Ｓ１２１をスキップする。その後，機内温度Ｔ１が機外温度Ｔ２にＭ℃を加算した温度以下か否かを判断する（Ｓ１２２）。Ｍも，各センサ６１，６２の検知精度のばらつきを考慮した調整値である。ＭとＧとは同じ値であっても異なる値であってもよい。本形態では，ＭをＧと同じ値とする。Ｍは第１調整値の一例である。
【００６１】
機内温度Ｔ１が機外温度Ｔ２にＭ℃を加算した温度を超えている場合（Ｓ１２２：ＮＯ），ＣＰＵ３１は，機外温度Ｔ２が閾値Ｂ以下か否かを判断する（Ｓ１２３）。そして，機外温度Ｔ２が閾値Ｂ以下でなければ，機外温度Ｔ２が閾値Ｂ以下となるまで待つ。すなわち，機外温度Ｔ２が高い状態ではファン８０を動作させてプリンタ１００周囲の空気を機内に取り込んでも冷却効果が期待できない。そのため，ＣＰＵ３１は，ファン８０を動作させずに，機外温度Ｔ２が下がるまで待つ。この待機動作は，図４中の（６）の領域の動作である。
【００６２】
機外温度Ｔ２が閾値Ｂ以下になれば（Ｓ１２３：ＹＥＳ），印刷動作の禁止を解除する（Ｓ１２４）。例えば，ＣＰＵ３１は，Ｓ１１１にてオンにした禁止フラグをオフにし，当該禁止フラグがオフの間，ＣＰＵ３１は印刷動作を禁止しない。Ｓ１２４の後，温度管理処理を終了する。
【００６３】
機内温度Ｔ１が機外温度Ｔ２にＭ℃を加算した温度以下の場合（Ｓ１２２：ＹＥＳ），ＣＰＵ３１は，ファン８０を全速で動作させる（Ｓ１３１）。Ｓ１３１は，図４中の（６）の領域の動作である。これにより，西日等によって局所的に機外温度Ｔ２が上昇していた場合に，機外温度Ｔ２が下がる。Ｓ１３１の後，ＣＰＵ３１は，機外温度Ｔ２がＮ℃低下したか否かを判断する（Ｓ１３２）。Ｎは，機外温度Ｔ２が正常値に戻ったと判断するための温度である。本形態では，Ｎを２℃とする。Ｎは所定温度の一例である。
【００６４】
機外温度Ｔ２がＮ℃低下していない場合（Ｓ１３２；ＮＯ），ＣＰＵ３１は，機外温度Ｔ２がＮ℃下がるまで待つ。機外温度Ｔ２がＮ℃低下した場合（Ｓ１３２；ＹＥＳ），ＣＰＵ３１は，ファン８０の動作を停止させ，印刷動作の禁止を解除する（Ｓ１３３）。Ｓ１３３の後は，温度管理処理を終了する。
【００６５】
一方，機内温度Ｔ１が閾値Ｄよりも高い場合（Ｓ１０２：ＮＯ），ＣＰＵ３１は，印刷動作を禁止し，ファン８０を全速で動作させる（Ｓ１４１）。Ｓ１４１は，図４中の（５）の領域の動作である。これにより，プリンタ１００の機内と機外との間で熱交換が行われ，機内温度Ｔ１が下がる。Ｓ１４１の後，ＣＰＵ３１は，機内温度Ｔ１が閾値Ｅ以下になったか否かを判断する（Ｓ１４２）。機内温度Ｔ１が閾値Ｅよりも高いままの場合（Ｓ１４２；ＮＯ），ＣＰＵ３１は，機内温度Ｔ１が閾値Ｅ以下に下がるまで待つ。機内温度Ｔ１が閾値Ｅ以下になった場合（Ｓ１４２；ＹＥＳ），ＣＰＵ３１は，ファン８０の動作を停止させ，印刷動作の禁止を解除する（Ｓ１４３）。Ｓ１４３の後は，温度管理処理を終了する。
【００６６】
［印刷処理］
続いて，前述した印刷モードの具体的な制御の１つであって，温度に応じて印刷動作を行う印刷処理について，図７を参照しつつ説明する。印刷処理は，印刷開始条件を満たしたことを契機に，プリンタ１００のＣＰＵ３１によって実行される。
【００６７】
印刷処理では，ＣＰＵ３１は先ず，印刷動作が禁止されているか否かを判断する（Ｓ２００）。前述した温度管理処理にて印刷動作が禁止されている場合には，印刷動作を開始できない。そのため，印刷動作が禁止されている場合（Ｓ２００：ＹＥＳ），ＣＰＵ３１は，印刷動作の禁止が解除されるのを待つ。なお，エラーメッセージ等を表示し，印刷処理を終了してもよい。
【００６８】
印刷動作が禁止されていない場合（Ｓ２００：ＮＯ），ＣＰＵ３１は，機外温度Ｔ２が閾値Ｃ以下か否かを判断する（Ｓ２０１）。機外温度Ｔ２が閾値Ｃ以下の場合（Ｓ２０１：ＹＥＳ），ＣＰＵ３１は更に，機外温度Ｔ２が閾値Ｋ以下か否かを判断する（Ｓ２０２）。機外温度Ｔ２が閾値Ｋ以下の場合（Ｓ２０２：ＹＥＳ），ＣＰＵ３１は更に，機内温度Ｔ１が閾値Ｄ以下か否かを判断する（Ｓ２０３）。
【００６９】
機内温度Ｔ１が閾値Ｄよりも高い場合（Ｓ２０３：ＮＯ），ＣＰＵ３１は，印刷動作を禁止し，ファン８０を全速で動作させる（Ｓ２１１）。Ｓ２１１は，図４中の（５）の領域の動作である。Ｓ２１１の後は，ＣＰＵ３１は，機内温度Ｔ１が閾値Ｅ以下になったか否かを判断する（Ｓ２１２）。機内温度Ｔ１が閾値Ｅよりも高いままの場合（Ｓ２１２；ＮＯ），ＣＰＵ３１は，機内温度Ｔ１が閾値Ｅ以下に下がるまで待つ。機内温度Ｔ１が閾値Ｅ以下になった場合（Ｓ２１２；ＹＥＳ），ＣＰＵ３１は，ファン８０の動作を停止させ，印刷動作の禁止を解除する（Ｓ２１３）。
【００７０】
Ｓ２１３の後，あるいは機内温度Ｔ１が閾値Ｄ以下の場合（Ｓ２０３：ＹＥＳ），ＣＰＵ３１は，全速での印刷を印刷部１０に行わせる（Ｓ２０４）。Ｓ２０４は，図４中の（１）の領域の動作である。その後，ＣＰＵ３１は，印刷が完了したか否かを判断する（Ｓ２０５）。印刷が完了してなければ（Ｓ２０５：ＮＯ），Ｓ２０３に戻り，印刷動作を継続する。印刷が完了している場合（Ｓ２０５：ＹＥＳ），印刷処理を終了する。なお，印刷完了には，全ページの印刷完了の他，キャンセル指示の入力も含まれる。
【００７１】
一方，機外温度Ｔ２が閾値Ｃよりも高い場合（Ｓ２０１：ＮＯ），ＣＰＵ３１は，高温時の印刷処理の１つである第１高温印刷処理を実行する（Ｓ２２１）。図８は，第１高温印刷処理の手順を示している。
【００７２】
第１高温印刷処理では，ＣＰＵ３１は先ず，機内温度Ｔ１が閾値Ｆ以下か否かを判断する（Ｓ２４１）。機内温度Ｔ１が閾値Ｆ以下の場合（Ｓ２４１：ＹＥＳ），ＣＰＵ３１は，全速での印刷を印刷部１０に行わせる（Ｓ２６１）。Ｓ２６１は，図４中の（３）の領域の動作である。
【００７３】
機内温度Ｔ１が閾値Ｆよりも高い場合（Ｓ２４１：ＮＯ），ＣＰＵ３１は更に，機内温度Ｔ１が閾値Ｄ以下か否かを判断する（Ｓ２４２）。機内温度Ｔ１が閾値Ｄよりも高い場合（Ｓ２４２：ＮＯ），ＣＰＵ３１は，印刷動作を禁止し，ファン８０を全速で動作させる（Ｓ２５１）。Ｓ２５１は，図４中の（５）の領域の動作である。Ｓ２５１の後は，ＣＰＵ３１は，機内温度Ｔ１が閾値Ｅ以下になったか否かを判断する（Ｓ２５２）。機内温度Ｔ１が閾値Ｅよりも高いままの場合（Ｓ２５２；ＮＯ），ＣＰＵ３１は，機内温度Ｔ１が閾値Ｅ以下に下がるまで待つ。機内温度Ｔ１が閾値Ｅ以下になった場合（Ｓ２５２；ＹＥＳ），ＣＰＵ３１は，ファン８０の動作を停止させ，印刷動作の禁止を解除する（Ｓ２５３）。
【００７４】
Ｓ２５３の後，あるいは機内温度Ｔ１が閾値Ｄ以下の場合（Ｓ２４２：ＹＥＳ），ＣＰＵ３１は，半速での間欠印刷を印刷部１０に行わせる（Ｓ２４４）。Ｓ２４４は，図４中の（４）の領域の動作である。これにより，機内温度Ｔ１の上昇を抑え，より多くの印刷を可能にする。
【００７５】
Ｓ２４４あるいはＳ２６１の後，ＣＰＵ３１は，印刷が完了したか否かを判断する（Ｓ２４５）。印刷が完了してなければ（Ｓ２４５：ＮＯ），Ｓ２４１に戻り，印刷動作を継続する。印刷が完了している場合（Ｓ２４５：ＹＥＳ），第１高温印刷処理を終了する。第１高温印刷処理を終了した後，図７の印刷処理に戻り，印刷処理を終了する。
【００７６】
図７の印刷処理の説明に戻り，機外温度Ｔ２が閾値Ｋよりも高い場合（Ｓ２０２：ＮＯ），ＣＰＵ３１は，高温時の印刷処理の１つである第２高温印刷処理を実行する（Ｓ２３１）。図９は，第２高温印刷処理の手順を示している。
【００７７】
第２高温印刷処理では，ＣＰＵ３１は先ず，機内温度Ｔ１が閾値Ｆ以下か否かを判断する（Ｓ２７１）。機内温度Ｔ１が閾値Ｆ以下の場合（Ｓ２７１：ＹＥＳ），ＣＰＵ３１は，全速での印刷を印刷部１０に行わせる（Ｓ２９１）。Ｓ２９１は，図４中の（１）の領域の動作である。
【００７８】
機内温度Ｔ１が閾値Ｆよりも高い場合（Ｓ２７１：ＮＯ），ＣＰＵ３１は更に，機内温度Ｔ１が閾値Ｄ以下か否かを判断する（Ｓ２７２）。機内温度Ｔ１が閾値Ｄよりも高い場合（Ｓ２７２：ＮＯ），ＣＰＵ３１は，印刷動作を禁止し，ファン８０を全速で動作させる（Ｓ２８１）。Ｓ２８１は，図４中の（５）の領域の動作である。Ｓ２８１の後は，ＣＰＵ３１は，機内温度Ｔ１が閾値Ｅ以下になったか否かを判断する（Ｓ２８２）。機内温度Ｔ１が閾値Ｅよりも高いままの場合（Ｓ２８２；ＮＯ），ＣＰＵ３１は，機内温度Ｔ１が閾値Ｅ以下に下がるまで待つ。機内温度Ｔ１が閾値Ｅ以下になった場合（Ｓ２８２；ＹＥＳ），ＣＰＵ３１は，ファン８０の動作を停止させ，印刷動作の禁止を解除する（Ｓ２８３）。
【００７９】
Ｓ２８３の後，あるいは機内温度Ｔ１が閾値Ｄ以下の場合（Ｓ２７２：ＹＥＳ），ＣＰＵ３１は，両面印刷か否かを判断する（Ｓ２７３）。そして，両面印刷であれば（Ｓ２７３：ＹＥＳ），半速での両面印刷を印刷部１０に行わせる（Ｓ２７４）。片面印刷であれば（Ｓ２７３：ＮＯ），全速での片面印刷を印刷部１０に行わせる（Ｓ２７５）。Ｓ２７４あるいはＳ２７５は，図４中の（２）の領域の動作である。両面印刷では，片面印刷と比較して機内温度が上昇し易い。そのため，両面印刷の場合は半速にすることにより，機内温度Ｔ１の上昇を抑え，より多くの印刷を可能にする。
【００８０】
Ｓ２７４，Ｓ２７５，あるいはＳ２９１の後，ＣＰＵ３１は，印刷が完了したか否かを判断する（Ｓ２７６）。印刷が完了してなければ（Ｓ２７６：ＮＯ），Ｓ２７１に戻り，印刷動作を継続する。印刷が完了している場合（Ｓ２７６：ＹＥＳ），第２高温印刷処理を終了する。第２高温印刷処理を終了した後，図７の印刷処理に戻り，印刷処理を終了する。
【００８１】
［冷却処理］
続いて，印刷動作を完了させた後に機内を冷却する冷却処理について，図１０を参照しつつ説明する。冷却処理は，印刷ジョブの完了後，次に印刷する印刷ジョブをプリンタ１００が受け付けていないことを契機に，プリンタ１００のＣＰＵ３１によって実行される。また，電源投入時，あるいは省電力状態からレディ状態への復帰時，に実行される印刷部１０の初期動作，例えば現像装置４の撹拌動作が完了したことを契機としてもよい。
【００８２】
冷却処理では，ＣＰＵ３１は先ず，機内温度Ｔ１が閾値Ｐ以下か否かを判断する（Ｓ３０１）。閾値Ｐは冷却処理の開始後に機内温度Ｔ１の一時的な上昇が生じたとしても閾値Ｄを超えないと想定される温度であり，閾値Ｆよりも低い温度が設定される。本形態では，閾値Ｐを３９℃とする。閾値Ｐは，機内特定温度の一例である。
【００８３】
機内温度Ｔ１が閾値Ｐよりも高い場合（Ｓ３０１：ＹＥＳ），ＣＰＵ３１は，冷却処理を開始してから所定時間が経過したか否かを判断する（Ｓ３０２）。本形態では，所定時間を５分とする。所定時間が経過していなければ（Ｓ３０２：ＮＯ），ファン８０を半速で動作させる（Ｓ３１１）。これにより，印刷が行われていない空き時間にて，機内温度Ｔ１を下げることができる。Ｓ３１１の後は，Ｓ３０１に戻る。
【００８４】
処理開始から所定時間が経過している場合（Ｓ３０２：ＹＥＳ），あるいは機内温度Ｔ１が閾値Ｐ以下の場合（Ｓ３０１：ＹＥＳ），ファン８０の動作を停止させる（Ｓ３０３）。なお，始めから機内温度Ｔ１が閾値Ｐ以下であって，ファン８０を動作させていない場合は，Ｓ３０３をスキップする。Ｓ３０３の後，冷却処理を終了する。
【００８５】
プリンタ１００は，プロセス部５０の駆動モータや定着装置８のヒータをオンさせた後，それらをオフしたとしても余熱によって機内温度Ｔ１が一時的に上昇することがある。そして，この一時的な温度上昇によってクーリング動作に移行し，印刷が制限されることは好ましくない。そのため，ファン８０を動作させて機内温度Ｔ１がその一時的な上昇によって閾値Ｄを超えないようにする。また，ファン８０を動作させる時間を固定時間とすると，１枚の印刷のように印刷後の温度上昇が小さい場合であっても必要以上にファン８０を動作させることになり，無駄が多い。そこで，本形態の冷却処理のように，実際の機内の温度に応じて，ファン８０を動作させるか否かを決定する。これにより，ファン８０の無駄な動作を少なくしつつ，クーリング動作に移行する機会の低減が期待できる。
【００８６】
なお，上述の冷却処理では，ファン８０を半速で動作させているが，全速で動作させてもよい。全速で動作させる方が機内の冷却効果が高い。ただし，全速にすることで半速と比較して騒音が大きくなる。そのため，騒音を抑えることを優先する場合には，半速にする方が好ましい。
【００８７】
以上詳細に説明したように実施の形態のプリンタ１００では，図４中の（Ｂ）の場合，すなわち機内温度Ｔ１も機外温度Ｔ２も高温の場合，両面印刷では，シートの搬送速度を半速にして，機内温度Ｔ１の上昇度合を抑制し，クーリング動作の実行温度である閾値Ｄに達するまでの時間を遅らせる。これにより，より多くの印刷の実行が期待できる。一方，片面印刷では，シートによって奪われる単位時間あたりの熱量が多く，機内温度Ｔ１が上昇し難いことから，生産性を優先して，シートの搬送速度を全速にする。これにより，温度に応じて，生産性の低下の抑制効果が期待できる。
【００８８】
なお，本実施の形態は単なる例示にすぎず，本発明を何ら限定するものではない。したがって本発明は当然に，その要旨を逸脱しない範囲内で種々の改良，変形が可能である。例えば，画像形成装置は，プリンタに限らず，コピー機，ＦＡＸ装置，複合機等，印刷機能を備えるものであれば適用可能である。また，実施の形態のプリンタ１００は，カラープリンタであるが，モノクロプリンタであってもよい。
【００８９】
また，実施の形態のプリンタ１００では，図４中の（４）の領域において，両面印刷か否かに限らず，半速で間欠印刷を行っているが，図４中の（２）の領域と同様に，両面印刷か否かによって制御を切り換えてもよい。例えば，片面印刷であれば全速で間欠印刷を行い，両面印刷であれば半速で間欠印刷を行うとしてもよい。また，図４中の（４）の領域においても，図４中の（２）の領域と同様の動作としてもよい。
【００９０】
また，実施の形態のプリンタ１００では，ファン８０に防塵フィルタ８１が貼付されているが，防塵フィルタ８１が無い構成であってもよい。また，防塵フィルタ８１が無いと防塵フィルタ８１が有る場合と比較してファン８０の冷却能力が高くなることから，ＮＶＲＡＭ３４あるはＲＯＭ３２に防塵フィルタ８１の有無を示すフラグを記憶させ，フラグのオンオフによって印刷動作を変更してもよい。例えば，図４中の（２）の領域において，防塵フィルタ８１が有る場合には，実施の形態と同じ動作を行い，防塵フィルタ８１が無い場合には，図４中の（１）の領域と同様の動作を行ってもよい。なお，防塵フィルタ８１の有無を示すフラグは，ユーザ設定によってセットされる可変値であってもよいし，工場出荷前にセットされる固定値であってもよい。
【００９１】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９２】
１０      印刷部
３１      ＣＰＵ
６１      機内温度センサ
６２      機外温度センサ
８０      ファン
１００    プリンタ
【図１】
0006344276.tif 000002
【図２】
0006344276.tif 000003
【図３】
0006344276.tif 000004
【図４】
0006344276.tif 000005
【図５】
0006344276.tif 000006
【図６】
0006344276.tif 000007
【図７】
0006344276.tif 000008
【図８】
0006344276.tif 000009
【図９】
0006344276.tif 000010
【図１０】
0006344276.tif 000011